(57)【要約】【課題】  海底に引っかかった釣り糸は、引っ張って破断するか、回収不可能な釣り糸切断具を使って切断していた。本発明は海底に引っかかった釣り糸と共に、釣り糸切断具本体を安全且つ確実に回収する釣り糸切断具である。【解決手段】  本発明は、海底に引っかかった釣り糸を手元に手繰り寄せた後、釣り糸切断具を素早く装着して海中に落とし込み、ノットで掛かり部を止め、切断部をリーダー部分で反転させる。その後、道糸を竿もしくは手で引っ張ると、切断部に装着された刃でリーダーを切断することができる。【選択図】図１
2011000117.tif 000002
【特許請求の範囲】
【請求項１】
それぞれ独立した機能を持つ、切断機能を有する切断部と、残留機能を有する掛かり部とから形成されること、連結部分を中心に切断部と掛かり部とが開閉できるように連結部分が可動式であること、を特徴とする釣り糸切断具。
【請求項２】
切断部に切断部切断刃側縦溝及び切断部掛かり部側縦溝を設けること、
切断部切断刃側縦溝及び切断部掛かり部側縦溝の幅が、道糸、ノット、リーダーよりも広いこと、
掛かり部に掛かり部縦溝を設けること、
掛かり部縦溝の幅が、道糸よりも広く、ノットよりも狭いこと、
溝の幅に特徴がある請求項１に記載の釣り糸切断具。
【請求項３】
請求項２に記載の釣り糸切断具による、操作糸を使用せずに切断が可能となるリーダーの切断方法であって、
掛かり部がノットより道糸側で停止すること、
切断部はノットをすり抜けてリーダー部分へ移動すること、
切断部がリーダー部分で反転すること、
切断部の内部でリーダーを折り曲げること、
道糸のみを引くだけでリーダーが切断できること、
を有することを特徴とするリーダーの切断方法。
【請求項４】
請求項２に記載の釣り糸切断具によるリーダー切断後の釣り糸切断具の回収方法であって、掛かり部がノットより道糸側で停止することにより道糸と共に回収可能となること、を特徴とする釣り糸切断具の回収方法。
【請求項５】
釣り糸切断具のおもりとして金属球を使用すること、
金属球が転がることにより切断部の重心が切断刃側へ移行する特徴があること、
金属球の素材がタングステン及びタングステン合金もしくは鉛合金から生成されること、
釣り糸切断具本体の素材が、ステンレス合金もしくはアルミニウム合金から生成されること、
切断部内部の釣り糸を挟み込むように釣り糸の上下に筒状のローラーが設置されていること、
を特徴とする請求項２に記載の釣り糸切断具。
【請求項６】
請求項５に記載の釣り糸切断具を使用し、請求項３に記載のリーダーの切断方法を行いさらに請求項４に記載の釣り糸切断具の回収方法を行うこと、を特徴とする釣り糸切断具の使用方法。
【発明の詳細な説明】
【技術分野】
【０００１】  本発明は、船釣りにおけるルアー釣りの際、海底に引っかかった釣り糸を回収するための器具に関するものである。
【背景技術】
【０００２】  従来、海底に引っかかった釣り糸は、引っ張って破断するか、回収不可能な釣り糸切断具を使って切断していた。
【先行技術文献】
【特許文献】
【０００３】
【特許文献１】  特開平０９−０００１２６号公報
【発明の概要】
【発明が解決しようとする課題】
【０００４】  ルアー（疑似餌）本体、もしくは本体の一部に金属を使用したルアー（以後「ジグ」と記述する）を使ったルアー釣り（以後「ジギング」と記述する）で使用する釣り糸は、近年化学繊維を編み込んだ伸縮率の低い釣り糸（以後「道糸」と記述する）が主流になっている。しかし化学繊維を編み込むという製法が容易でないために、従来の釣り糸に比べ非常に高価である。根掛かりをして、切れるたびに道糸を巻き替えると経済的負担が大きい。【０００５】  ジギングは主に水深２０メートルから１００メートル前後、時には３００メートルを超える水深で、ジグを海底まで落とし込み、竿を上下に動かしながらリールを巻き、ジグに動きを付けて魚を誘う釣法である。もしジグに魚が食いつかなければ再びジグを海底まで落とし、竿を動かしリールを巻く動作を繰り返し行うため、ジグ本体やジグに接続する釣り針及びハリス（道糸の先端部に結ぶ全長１０メートル前後のナイロン製またはカーボン製の先糸のことで、ルアー釣りでは一般にリーダーと呼ばれる。以後「リーダー」と記述する）が、海底や海底付近の障害物に引っかかってしまうこと（一般に根掛かりと呼ばれる）がある。その場合、従来は、道糸を直接手や竿で引っ張って道糸を破断するか、本体回収不可能な釣り糸切断具を使用して切断していた。しかし引っ張って道糸を破断すると、釣り竿やリールの破損を招いたり怪我をしたりする可能性があり、危険である。また、本体回収不可能な釣り糸切断具を使った場合、任意で切断できないという問題があった。【０００６】  更に、前文で説明した方法で破断及び切断をすると、道糸がどの部分で切れるのか分からないため、その後の釣りに支障をきたす。【０００７】  前文０００６項で記載した、その後の釣りに支障をきたす例を以下に示す。３００メートルの道糸が巻いてあるリールを使い、水深２００メートルの海域でジギングをして、ジグが海底に引っかかった際、船上で道糸を引っ張り、海底から１５０メートルの位置で破断したとする。その場合リールに巻いてある道糸が残り１５０メートルしか無いため、水深１００メートル位までの海域でしかジギングができなくなってしまう。切れた道糸に別の道糸を継ぎ足す方法があるが、結び目で極端に強度が下がるため、この方法は好ましくない。【０００８】  切断された釣り糸は、微生物に分解されないため、半永久的に海底に沈んだままとなり、海洋を汚染する。さらに漂う釣り糸に海洋性生物が絡まってしまうという問題を抱えていた。また海底に沈んでいる釣り糸に、再度ジグが引っかかってしまうという悪循環を招いていた。【０００９】  先行技術文献に記載の（特開平０９−０００１２６号）は、磯釣り用として考案された発明であり、船釣りにおける根掛かりに対応した先行技術ではない。しかし引っかかった釣り糸を切断し、釣り糸切断具も回収できるという点で、目的が同じであるため、課題を明確にするために記載する。【００１０】  ここでいう磯釣りとは、リールと竿を使い、磯や堤防から１０メートル程投げて、おもりと釣り針からなる仕掛けを海底に沈ませる釣法である。この釣法における根掛かりであれば、先行技術文献に記載の発明で対応できる。しかし、船上でのジギングにおける同様のトラ���ルには対応できない。【００１１】  先行技術では、船上でのジギングにおける根掛かりに対応できない事例として、０００５項で述べたような、３００メートルを超す水深でジグが海底に引っかかってしまう場合がある。風が吹き波のある中、３ノット（時速５．４ｋｍ）の潮流により船が１分間に９０メートル流されるという状況設定で、ジギングにおける根掛かりに、先行技術文献（特開平０９−０００１２６号）を使用した際の課題を、図面を使って説明する。【００１２】  （図１３）一人で船釣りにいったと仮定する。先行技術文献に記載の発明では、操作糸３６を釣り糸切断具につなぎ、釣り糸切断具を道糸２６に装着し、操作糸３６を送り出しながら釣り糸切断具を投下する（沈下工程１）３５ｆ。風が吹き、揺れる船上で、この作業をたとえ１分で行ったとしても、船は９０メートル流されることになる。その後片手に竿を持ちながら操作糸３６を送り出すことになる。その状態での操船は困難となり、船は流されてしまう。操作できたとしても、釣り糸切断具に取り付けられた翼体や操作糸３６が潮流３４に押されて、釣り糸切断具が切断行程に入り、道糸２６を途中で切ってしまうことになる（沈下工程２）３５ｇ。つまり潮が動いている状況下で操作糸を使用する釣り糸切断具では、操作糸を出せば出すほど潮に流されるため、釣り糸切断具が操作不能になる。さらに、翼体など潮流の影響を受けやすい部分が存在してはならないし、釣り糸切断具の構造、切断方法もシンプルでなければならない。以上のことから先行技術文献に記載の発明では、ジギング時の根掛かりには対応できないこととなる。【００１３】  （０００５項）で述べた、本体回収不可能な釣り糸切断具とは、磯釣り用で、金属製の本体にばねと連結した刃が付いている。ばねを引き、紙でできた水溶性の留め具を取り付け、釣り糸に引っかけ、海中へ滑り落とす。水分を含み、溶け始めた留め具がしばらくすると破断し、ばねの戻る力で釣り糸を切断する時限式の釣り糸切断具であった。大手釣り具メーカーから発売されていたが、現在は発売されていない。以前この釣り糸切断具をジギングで使用したが、時限式であるため、ジギングを行う水深では、切断までの時間が足らず、沈下中に切れてしまった。また切断後に釣り糸切断具を回収できないという点でも、ジギング時の根掛かりに対応できなかった事実がある。【００１４】  ジギングにおける根掛かりに対応する課題として、釣り糸切断具を素早く装着及び投下する必要があること。操作糸など釣り糸切断具本体以外の道具を使用しないこと。切断するタイミングを任意で操作できること。釣り糸切断具を回収できること。釣り糸切断具の構造が潮流の影響を受けにくいようシンプルであること。以上の課題を解決できる釣り糸切断具でなければならない。
【課題を解決するための手段】
【００１５】  初めにすべての課題に対し本発明では、切断行程と回収行程に分けて考えた。つまり請求項１の発明にかかる釣り糸切断具は、それぞれ独立した機能を持つ、切断機能を有する切断部と、残留機能を有する掛かり部とから形成されること、連結部分を中心に切断部と掛かり部とが開閉できるように連結部分が可動式であること、を特徴とする釣り糸切断具とした。【００１６】  釣り糸の切断及び釣り糸切断具の回収を可能とするために、ノット（道糸とリーダーの結び目のこぶのことで、ルアー釣りでは一般にノットと呼ばれる。以後「ノット」と記述する）を利用する。つまり請求項２の発明にかかる釣り糸切断具は、切断部に切断部切断刃側縦溝及び切断部掛かり部側縦溝を設け、切断部切断刃側縦溝及び切断部掛かり部側縦溝の幅が、道糸、ノット、リーダーよりも広いこと、掛かり部に掛かり部縦溝を設け、掛かり部縦溝の幅が、道糸よりも広く、ノットよりも狭いこと、溝の幅に特徴がある請求項１に記載の釣り糸切断具とした。【００１７】  操作糸など釣り糸切断具以外の道具を使用せずに、切断するタイミングを任意で操作できる請求項３の発明にかかるリーダーの切断方法は、請求項２に記載の釣り糸切断具による、操作糸を使用せずに切断が可能となるリーダーの切断方法であって、掛かり部がノットより道糸側で停止すること、切断部はノットをすり抜けてリーダー部分へ移動すること、切断部がリーダー部分で反転すること、切断部の内部でリーダーを折り曲げること、道糸のみを引くだけでリーダーが切断できること、を有することを特徴とするリーダーの切断方法とした。【００１８】  回収用の糸など釣り糸切断具以外の道具を使用せずに、回収が可能となる請求項４の発明にかかる釣り糸切断具の回収方法は、請求項２に記載の釣り糸切断具によるリーダー切断後の釣り糸切断具の回収方法であって、掛かり部がノットより道糸側で停止することにより道糸と共に回収可能となること、を特徴とする釣り糸切断具の回収方法とした。【００１９】  太いリーダーを切断するために、切断部が反転した際に切断部の重心が大きく変わる必要がある。よって、請求項５の発明にかかる釣り糸切断具は、釣り糸切断具のおもりとして金属球を使用すること、金属球が転がることにより切断部の重心が切断刃側へ移行する特徴があること、金属球の素材がタングステン及びタングステン合金もしくは鉛合金から生成されること、釣り糸切断具本体の素材が、ステンレス合金もしくはアルミニウム合金から生成されることとする。また、沈下中の釣り糸切断具と道糸との摩擦を減らすために、切断部内部の釣り糸を挟み込むように釣り糸の上下に筒状のローラーが設置されていること、を特徴とする請求項２に記載の釣り糸切断具とした。【００２０】  以上を踏まえて請求項６の発明にかかる釣り糸切断具の使用方法として、請求項５に記載の釣り糸切断具を使用し、請求項３に記載のリーダーの切断方法を行い、請求項４に記載の釣り糸切断具の回収方法を行うこと、を特徴とする釣り糸切断具の使用方法。
【発明の効果】
【００２１】  切断部横溝の掛かり部側と掛かり部横溝が釣り糸切断具の掛かり部側で上下に重なり、さらに切断部掛かり部側縦溝と掛かり部縦溝が釣り糸切断具の上部及び掛かり部側で上下に重なる構造であるため道糸への装着及び海中への投下の行程を片手で素早く行えるようになった。【００２２】  切断部がリーダー部分で反転し、切断部内部でリーダーを曲げることで、操作糸を使用せずに道糸を引くだけで切断が可能になった。【００２３】  掛かり部縦溝の幅がノットより狭い構造であるため、切断後も掛かり部が道糸側にとどまることになり、道糸と共に釣り糸切断具を回収することができた。【００２４】  釣り糸切断具が、引かれる力だけでリーダーを切断するのではなく、切断部内部で折れ曲がったリーダーが伸びることにより切断される。リーダーの伸縮を利用し、より鋭角に切断するために設計された切断装置であるため、太いリーダーも少しの力で切断できた。【００２５】  切断部内部に設置されたローラーが、回ることにより、沈下する釣り糸切断具と釣り糸との摩擦が減少し、よりスムーズに沈下した。【００２６】  装着から回収までの全行程において、釣り糸切断具以外の道具を使用せず、釣り糸切断具のみを海中へ落とし込む構成となっている。釣り糸切断具は必要最小限の部品で形成され、各部品が釣り糸切断具から突出しない形状となっている。釣り糸切断具が簡素な形状のため、道糸への糸がらみを無くし、沈下時の水の抵抗を抑えることができた。【００２７】  以上を踏まえて、本発明の釣り糸切断具を００１３項と同じ状況設定で使用した場合の例を、図を使って説明する。（図１４）まず左手に竿を持ち右手で釣り糸切断具を装着投下する。その後片手で竿を持ちながら操船するか、船に竿を固定して操船し、釣り糸切断具が目的の場所つまりノット部分に到達するのを待つ（沈下工程）３８ｈ。この時釣り糸切断具は潮流に押されるが、沈下物が釣り糸切断具のみであるため、沈下スピードは変わらない。その後、竿などに伝わる重みや衝撃で到達を確認したのち、道糸２６を引き、切断後３８ｉ、道糸と共に釣り糸切断具を回収することができる。また、釣り糸切断具を落とし道糸を引くだけという単純な作業であるため、使用できる水深の制限がなくなった。
【図面の簡単な説明】
【００２８】
【図１】切断部、及び掛かり部の道糸挿入側の平面図
【図２】掛かり部前面の立体図
【図３】切断部を切断刃側斜め上方から見た立体図
【図４】切断部を掛かり部側斜め上方から見た立体図
【図５】釣り糸切断具を掛かり部側斜め上方から見た立体図
【図６】釣り糸切断具使用手順１
【図７】釣り糸切断具使用手順２
【図８】釣り糸切断具使用手順３
【図９】釣り糸切断具使用手順４
【図１０】釣り糸切断具使用手順５
【図１１】釣り糸切断具使用手順６
【図１２】切断部分の詳細
【図１３】操作糸を必要とする釣り糸切断具の使用図
【図１４】本発明釣り糸切断具の使用図
【発明を実施するための形態】
【００２９】  初めに、切断方法及び釣り糸切断具回収という重要な課題を、切断行程と回収行程に分けて考える。切断行程の方法に関しては、操作糸を使用せずに任意で切断するために、操作の対象を道糸のみとする。釣り糸切断具回収行程に関しては、道糸を全て回収するとともに、釣り糸切断具も回収するため、回収される釣り糸そのものを利用するしかない。つまりこの二つの機能を兼ね備えた釣り糸切断具であればよい。本発明は、それぞれ独立した機能を持つ各部、すなわち、切断機能を有する切断部と、残留機能を有する掛かり部から形成された釣り糸切断具である。この切断部と掛かり部は連結されており、装着及び沈下時は重なり合うように折り畳まれており、切断時には連結部分を中心に切断部が反転する仕組みになっている。
【００３０】  釣り糸切断具を素早く道糸に装着するためには、片手で行えるほど装着方法が簡単であり、装着部分の構造が単純である必要がある。よって、切断部には切断部横溝と切断部切断刃側縦溝と切断部掛かり部側縦溝を設け、掛かり部には掛かり部横溝と掛かり部縦溝を設け、切断部掛かり部側縦溝と掛かり部縦溝が釣り糸切断具上部及び掛かり部側で上下に重なる構造とした。
【００３１】  道糸のみを引っ張って釣り糸を切断する方法は、切断部の縦溝の幅を、道糸、ノット、リーダーよりも広くすることで可能となる。掛かり部はノットで止まるが、切断部はノットをすり抜けてリーダー部分へ移動する。この時、切断部は連結部分を中心に反転する。反転する切断部の角度が垂直に対し、９０度を超えたときに、切断部内の金属球が切断刃側へ転がる。そのため、切断部の重心が切断刃側へ移行し、反転する勢いを増した釣り糸切断具は、切断部内部でリーダーを切断するのに最適な角度へと押し曲げる。さらにリーダーの伸びを利用することで、道糸を引っ張るだけでリーダーを切断することが可能となる。
【００３２】  釣り糸切断具を回収可能にするためは、釣り糸切断具の掛かり部がノット部分より上部つまり道糸側で止まればよい。ノットで掛かり部を止める方法としては、掛かり部縦溝の幅が道糸より広く、ノットより狭いことが条件となる。この方法であれば、掛かり部がノットに引っ掛かって道糸側でとどまることとなり、切断後も道糸と共に釣り糸切断具を回収することができる。
【００３３】  道糸と釣り糸切断具との摩擦を抑えるために、釣り糸切断具内部に、道糸を挟み込むような形で、道糸の上下に筒状のローラーを設置する。ローラーが回ることにより、沈下する釣り糸切断具と道糸との摩擦が減少し、よりスムーズに沈下する構造とする。
【００３４】  水中沈下時の釣り糸切断具による道糸への糸がらみを防止するために、また水中沈下時に受ける水の抵抗及び潮流による水の抵抗を減らすためにも、釣り糸切断具の形状を簡素なものとする。すべての行程において、釣り糸切断具以外の道具を使用せずに、釣り糸切断具のみを海中へ落とし込む構成とする。
【００３５】  切断部内部でリーダーを勢いよく曲げるためには、切断部が反転し、切断部内の金属球が切断刃側へ転がる時に、切断刃側に重心が大きく移行する必要がある。そのためには釣り糸切断具本体の素材を軽いものにし、金属球の素材を重いものにする必要がある。釣り糸切断具本体の素材は、軽量かつ丈夫で腐食しにくい材質であるために、海での使用に適しているステンレス合金やアルミニウム合金を使用すること。本体のおもりとなる金属球の素材には、高比重のタングステン及びタングステン合金や鉛合金を使用すること。
【００３６】  図１、図２、図３、図４、図５を使い、各部品、各箇所の名称及び構造を説明する。また、切断刃側を上方とし、連結ボルト側を下方として見るものとする。
【００３７】  本発明の釣り糸切断具は、切断部（１）と掛かり部（２）から形成される。切断部（１）は正方形の筒状で、ステンレス合金やアルミニウム合金から生成される。内部に釣り糸切断具のおもりとなるタングステン及びタングステン合金や鉛合金から生成された金属球（３）を備える。切断部（１）下部に連結用ボルト穴（１６）を二つ設ける。切断部（１）上部には片側半分に設けた切断部横溝（１１）と、切断部横溝（１１）の両端に繋がる切断部切断刃側縦溝（１２）と切断部掛かり部側縦溝（１３）とを対面に設ける。また切断部掛かり部側縦溝（１３）の上部は、内側に９０度屈折する。切断部切断刃側縦溝（１２）の上部に切断刃（４）を備え、切断部掛かり部側縦溝（１３）の下部に切断部磁石（６）を備える。切断部横溝（１１）の上下の切断部内部に筒状のラインローラー（５）を二つ備える。切断部横溝（１１）の両端に切断部道糸抜け防止パッキン（９）を備える。掛かり部（２）はステンレス合金やアルミニウム合金から生成される。下部に切断部（１）を挟むように二つの連結用ボルト穴（１６）を設ける。掛かり部上部に掛かり部横溝（１４）を設け、掛かり部横溝（１４）に繋がる掛かり部縦溝（１５）を、掛かり部（２）の中心に設ける。また掛かり部縦溝（１５）の上部は、切断部掛かり部側縦溝（１３）と上下に重なるように、切断部側に９０度屈折する。掛かり部縦溝（１５）の下部の切断部側に掛かり部磁石（７）を備え、掛かり部縦溝（１５）の中間に掛かり部道糸抜け防止パッキン（１０）を備える。切断部（１）と掛かり部（２）を連結用ボルト（８）で連結すると、可動式の釣り糸切断具となる。
【実施例】
【００３８】  図６〜図１１の釣り糸切断具内に描かれている道糸、ノット、リーダーは切断部内部にあるが、動きや角度を認識しやすくするために点線表記しないこととする。また図中の矢印は力の向きや物の動く方向である。【００３９】  （図６）海底にジグが引っ掛かった状態で竿を左手に持ち、右手で道糸（２６）をつかむ、その後、竿を左脇に挟み、右手の道糸（２６）を左手に持ち替える。右手で釣り糸切断具の連結ボルト（８）側を、親指で掛かり部（２）を抑えながら握り、切断部横溝（１１）と掛かり部横溝（１４）に道糸（２６）を差し込む。この時、切断部道糸抜け防止パッキン（９）により道糸（２６）が容易に釣り糸切断具から抜けないようになっている。【００４０】  （図７）次に釣り糸切断具を立てるように右手首を上にひねる。すると竿先側（２２）の道糸（２６）が、切断部横溝（１１）から切断部掛かり部側縦溝（１３）へ、海面側（２３）の道糸が、切断部横溝（１１）から切断部切断刃側縦溝（１２）へ移動する。また、竿先側（２２）の道糸（２６）が、掛かり部横溝（１４）から掛かり部道糸抜け防止パッキン（１０）を通り、掛かり部縦溝（１５）へ素早く移動する。この時、切断部掛かり部側縦溝（１３）と掛かり部縦溝（１５）は釣り糸切断具の掛かり部側及び釣り糸切断具上部で上下に重なり合っている。これにより二つの独立した縦溝に、道糸（２６）を同時に差し込むことができる。この状態を保ったまま静かに海面へ投下する。この時、海面に着水した衝撃やその後の水中沈下時における水の抵抗により、切断部（１）と掛かり部（２）とが離れることのないよう、切断部磁石（６）と掛かり部磁石（７）を設置し、両磁石がくっつくことにより固定される。切断部（１）内部の道糸（２６）の上下に設置されているラインローラー（５）により、摩擦抵抗が緩和され、スムーズに沈下していく。【００４１】  （図８）道糸（２６）を伝いながら海底側（２５）へ沈下する釣り糸切断具は、やがてリーダー（２８）と道糸（２６）の結び目のこぶ，つまりノット（２７）へ到達する。この時、ノット（２７）よりも幅の広い切断部切断刃側縦溝（１２）及び切断部掛かり部側縦溝（１３）は、ノット（２７）を通過するが、ノット（２７）より幅の狭い掛かり部縦溝（１５）は、ノット（２７）より竿先側（２２）の道糸（２６）部分で停止する。【００４２】  （図９）ノット（２７）より竿先側（２２）で、掛かり部（２）が停止した衝撃により、切断部磁石（６）と掛かり部磁石（７）とが離れ、切断部（１）はさらに沈下しようとする。この時、連結部分を中心に切断部（１）がリーダー側へと反転する。【００４３】  （図１０）リーダー部分を沈下する切断部（１）が垂直に対し、９０度以上の角度がついたとき、切断部（１）内の金属球（３）が、連結部分側から切断刃側へ転がり始める（２１）。この時、切断部（１）の重心も切断刃（４）側に移行し、反転する勢いが増した切断部（１）はリーダー（２８）を勢いよく巻き込み、リーダー（２８）を切断するのに最適な角度に曲げる（２０）。【００４４】  （図１１）その後道糸（２６）を、手もしくは竿でゆっくり引くと、切断刃（４）によりリーダー（２８）を切断する。リールを巻くと、���糸（２６）と釣り糸切断具を同時に回収することができる。また、切断部道糸抜け防止パッキン（９）及び掛かり部道糸抜け防止パッキン（１０）の効果により、作業中に、道糸（２６）またはリーダー（２８）から、釣り糸切断具が脱落するのを防いでいる。【００４５】  いかにして太いリーダー（２８）を最小の力で切断するのか、本発明における切断の様子を説明する。切断の対象であるリーダー（２８）は、縦繊維の集合体であり、垂直方向つまり横からの刃の侵入（図１２ａ）には強く、鉛筆をナイフで削るように斜めからの刃の侵入（図１２ｂ）には切れ易くなっている。一般にジギングで使用するリーダー（２８）の太さはナイロン製の釣り糸で２０号ぐらいである。２０号のリーダーを、本発明の釣り糸切断具を使い切断するのに、２．５ｋｇ負荷である。２０号のナイロン１ｍに２．５ｋｇの負荷をかけた場合、約５ｃｍ伸びる。したがって、ノット（２７）から切断刃（４）までのリーダー（２８）の長さが約４０ｃｍだと、２．５ｋｇ負荷をかけると２ｃｍ伸びることになる。この２ｃｍの伸び（図１２ｃ）を切断に利用する。つまり切断刃（４）をリーダー（２８）に対し、斜めに押し当て、単純に引っ張って切るのではなく（図１２ｄ）、リーダー（２８）を伸ばし、ずらしながらより鋭角にリーダー（２８）を切断するのである（図１２ｅ）。
【符号の説明】
【００４６】１    切断部
２    掛かり部
３    金属球
４    切断刃
５    ラインローラー
６    切断部磁石
７    掛かり部磁石
８    連結用ボルト
９    切断部道糸抜け防止パッキン
１０  掛かり部道糸抜け防止パッキン
１１  切断部横溝
１２  切断部切断刃側縦溝
１３  切断部掛かり部側縦溝
１４  掛かり部横溝
１５  掛かり部縦溝
１６  連結用ボルト穴
１７  リーダー垂直切断面
１８  リーダー斜め切断面
１９  リーダーの伸びを表す
２０  リーダーを切断するのに最適な角度に曲げた様子
２１  切断部が反転し、金属球が転がり重心が変わる様子
２２  竿先側
２３  海面側
２４  海上側
２５  海底側
２６  道糸
２７  ノット
２８  リーダー
２９  海底の岩
３０  海底
３１  根掛かり部分
３２  船
３３  海面
３４  潮流の方向
３５  操作糸を必要とする釣り糸切断具
３６  操作糸
３７  操作糸の流れる方向
３８  沈下する本発明釣り糸切断具
【図１】
2011000117.tif 000003
【図２】
2011000117.tif 000004
【図３】
2011000117.tif 000005
【図４】
2011000117.tif 000006
【図５】
2011000117.tif 000007
【図６】
2011000117.tif 000008
【図７】
2011000117.tif 000009
【図８】
2011000117.tif 000010
【図９】
2011000117.tif 000011
【図１０】
2011000117.tif 000012
【図１１】
2011000117.tif 000013
【図１２】
2011000117.tif 000014
【図１３】
2011000117.tif 000015
【図１４】
2011000117.tif 000016